(57)【要約】【課題】案内を受けるための操作が判らない人にも案内を提供でき、案内を受けるための操作の煩わしさを軽減できる操作案内装置を提供する。【解決手段】オペレータが、つまみ４８を回して、液晶表示部３６に表示されたメニューを選択する。その後、予め設定された時間、オペレータが何ら操作を行わないと、制御装置のＣＰＵが、オペレータが次に押すべきスタートボタン５０に関する情報を液晶表示部３６に表示させる。これにより、オペレータは、メニューを選択した後に、スタートボタン５０を押すことを知らなくても、スタートボタン５０を押す必要性を認識し、スタートボタン５０を押すことができる。また、スタートボタン５０に関する情報は液晶表示部３６に自動的に表示されるので、オペレータは、その情報を受けるための操作をしなくてもよい。【選択図】図１
2010039630.tif 000002
【特許請求の範囲】
【請求項１】
プログラムが予め記憶された記憶部と、
上記プログラムに関連付けされたメニューを表示する表示部と、
上記メニューを選択するための選択部と、
上記メニューを実行させるための実行部と、
上記選択部および実行部が操作されたか否かを検知する操作検知部と、
上記選択部によって上記メニューが選択された後、上記実行部が操作されていない状態で、予め設定された時間が経過したか否かを判定する無操作時間判定部と、
上記無操作時間判定部が上記予め設定された時間が経過したと判定すると、上記実行部に関する情報を上記表示部に表示させる表示指令部と
を備えたことを特徴とする操作案内装置。
【請求項２】
請求項１に記載の操作案内装置において、
上記無操作時間判定部は、上記実行部が操作されていない状態毎に、予め設定された時間が経過したか否かを判定し、
上記表示指令部は、上記無操作時間判定部が上記予め設定された時間が経過したと判定した毎に、上記実行部に関する情報を上記表示部に表示させ、
オペレータに操作を逐次ヘルプしながら、上記オペレータを誘導することを特徴とする操作案内装置。
【請求項３】
請求項１または２に記載の操作案内装置において、
上記実行部に関する情報は、上記実行部が設けられている場所の情報であることを特徴とする操作案内装置。
【請求項４】
請求項１から３までのいずれか一項に記載の操作案内装置において、
上記表示指令部は、上記実行部に関する情報を上記表示部に図で表示させることを特徴とする操作案内装置。
【発明の詳細な説明】
【技術分野】
【０００１】
本発明は、例えば加熱調理器や携帯電話などに使用される操作案内装置に関する。
【背景技術】
【０００２】
近年、テレビ、携帯電話、洗濯機、電子レンジなどいった電気製品では、多機能化が進み、達成できる目的の数が増加している。これに伴い、電気製品に設けられボタンの数も増え、その結果、電気製品の操作が判り難くなっている。
【０００３】
このような問題を解決できる装置としては、特開平６−８３５５４号公報（特許文献１）の操作案内装置がある。この操作案内装置は、オペレータが要求する操作についての手順を順次案内表示する。より詳しくは、上記操作案内装置は、複数のボタンを含むキーボードを備えている。そして、オペレータがキーボードの所定のボタンを押すと、その所定のボタンが押されるまでになされた操作に基づき、オペレータが欲する手順を特定して順次案内表示する。
【０００４】
しかしながら、上記従来の操作案内装置では、オペレータがキーボードの所定のボタンを押さなければ、案内表示が行われないため、オペレータが上記所定のボタンを知っていなければ、案内表示を受けることができない。
【０００５】
また、オペレータが上記所定のボタンを知っていたとしても、複数のボタンの中から、上記所定のボタンを見つけるのは困難である。
【０００６】
したがって、上記従来の操作案内装置は、案内表示の操作が判らない人は案内を受けることできず、また、案内を受ける操作が煩わしいという問題がある。
【特許文献１】特開平６−８３５５４号公報
【発明の開示】
【発明が解決しようとする課題】
【０００７】
そこで、本発明の課題は、案内を受けるための操作が判らない人にも案内を提供でき、案内を受けるための操作の煩わしさを軽減できる操作案内装置を提供することにある。
【課題を解決するための手段】
【０００８】
上記課題を解決するため、本発明の操作案内装置は、
プログラムが予め記憶された記憶部と、
上記プログラムに関連付けされたメニューを表示する表示部と、
上記メニューを選択するための選択部と、
上記メニューを実行させるための実行部と、
上記選択部および実行部が操作されたか否かを検知する操作検知部と、
上記選択部によって上記メニューが選択された後、上記実行部が操作されていない状態で、予め設定された時間が経過したか否かを判定する無操作時間判定部と、
上記無操作時間判定部が上記予め設定された時間が経過したと判定すると、上記実行部に関する情報を上記表示部に表示させる表示指令部と
を備えたことを特徴としている。
【０００９】
上記構成の操作案内装置によれば、オペレータは、選択部を操作して、表示部に表示されたメニューを選択する。その後、上記操作検知部が、実行部が操作されたか否かを検知する。これと共に、上記無操作時間判定部が、操作検知部の検知結果に基づき、実行部が操作されていない状態で、予め設定された時間が経過したか否かを判定する。そして、上記無操作時間判定部が予め設定された時間が経過したと判定すると、表示指令部が、実行部に関する情報を表示部に表示させる。
【００１０】
このように、上記表示部が実行部に関する情報を自動的に表示するので、オペレータは、選択部の操作の後に、実行部の操作を行うことを知らなくても、その実行部に関する情報を得て、実行部の操作を行うことができる。また、上記オペレータは、案内を受けるための操作を行わなくてもよい。
【００１１】
したがって、上記操作案内装置は、案内を受けるための操作が判らない人に対しても案内を提供でき、案内を受けるための操作の煩わしさを軽減できる。
【００１２】
一実施形態の操作案内装置では、
上記無操作時間判定部は、上記実行部が操作されていない状態毎に、予め設定された時間が経過したか否かを判定し、
上記表示指令部は、上記無操作時間判定部が上記予め設定された時間が経過したと判定した毎に、上記実行部に関する情報を上記表示部に表示させ、
オペレータに操作を逐次ヘルプしながら、上記オペレータを誘導する。
【００１３】
上記実施形態の操作案内装置によれば、上記無操作時間判定部は、実行部が操作されていない状態毎に、予め設定された時間が経過したか否かを判定する。また、上記表示指令部は、無操作時間判定部が予め設定された時間が経過したと判定した毎に、実行部に関する情報を表示部に表示させる。これにより、上記オペレータは、操作のヘルプを逐次受けて誘導され、その結果、メニューを確実に実行させることができる。
【００１４】
一実施形態の操作案内装置では、
上記実行部に関する情報は、上記実行部が設けられている場所の情報である。
【００１５】
上記実施形態の操作案内装置によれば、上記実行部に関する情報は、実行部が設けられている場所の情報であるので、オペレータは実行部がある場所を表示部の表示で知ることができる。
【００１６】
一実施形態の操作案内装置では、
上記表示指令部は、上記実行部に関する情報を上記表示部に図で表示させる。
【００１７】
上記実施形態の操作案内装置によれば、上記表示指令部によって、表示部が実行部に関する情報を図で表示するので、実行部に関する情報をオペレータに容易に理解させることができる。
【発明の効果】
【００１８】
本発明の操作案内装置によれば、メニューが選択された後、実行部が操作されていない状態で、予め設定された時間が経過すると、表示部が実行部に関する情報を自動的に表示するので、案内を受けるための操作が判らない人に対しても案内を提供でき、案内を受けるための操作の煩わしさを軽減できる。
【発明を実施するための最良の形態】
【００１９】
以下、本発明の一実施の形態の操作案内装置を加熱調理器に用いた場合について説明する。
【００２０】
図１は、上記加熱調理器の外観斜視図である。
【００２１】
上記加熱調理器は、直方体形状の本体ケーシング１と、操作案内装置５１とを具備している。この本体ケーシング１の正面には、下端側の辺を略中心に回動する扉３４を設けている。また、扉３４の右側に操作部３５および液晶表示部３６を設け、扉３４の上部にハンドル３７を設けると共に、扉３４の略中央に耐熱ガラス製の窓３８を設けている。液晶表示部３６は文字や画像をカラー表示できる。また、操作部３５を操作することによって、複数のメニューから所望のメニューを選択できる。なお、液晶表示部３６は表示部の一例である。
【００２２】
上記操作部３５は、つまみ４８、決定ボタン４９およびスタートボタン５０を含んでいる。つまみ４８は扉３４に回転自在に取り付けられていて、オペレータは、つまみ４８を回すことによって、液晶表示部３６に表示される複数のメニューから所望のメニューを選択する。また、決定ボタン４９およびスタートボタン５０は、つまみ４８で選択されたメニューを実行するために使用される。なお、つまみ４８は選択部の一例であり、決定ボタン４９およびスタートボタン５０は実行部の一例である。
【００２３】
上記操作案内装置５１は、操作部３５および液晶表示部３６を備えると共に、後述する制御装置５（図２参照）および操作検知部４７（図３参照）も備えている。
【００２４】
図２は上記加熱調理器の概略構成図である。
【００２５】
上記加熱調理器は、本体ケーシング１内に設けられた調理室２と、蒸気を発生させる蒸気発生装置３と、蒸気発生装置３からの蒸気を加熱して過熱蒸気にする蒸気加熱ヒータ４とを具備している。蒸気発生装置３や蒸気加熱ヒータ４などの動作は制御装置５で制御される。ここで、上記過熱蒸気とは、１００℃以上の過熱状態にまで加熱された蒸気を意味する。
【００２６】
上記調理室２は、扉３４で開閉される開口部を正面側に有する。また、調理室２の側面、底面および天面はステンレス鋼板からなっている。オペレータは、その開口部を通して、調理室２に被加熱物７を入れたり、調理室２から被加熱物７を出したりする。また、調理室２の周囲には断熱材（図示せず）を配置して、調理室２内と外部とを断熱している。
【００２７】
また、上記調理室２内には、調理室２の底面から所定の間隔をあけて鉄などの金属製あるいはセラミックス製のトレイ６が置かれている。トレイ６は、調理室２の左右の側壁に設けられた下受け棚１１により支持されている。そして、トレイ６上には、鉄などの金属製の調理網９８が載置され、その調理網９８の略中央に被加熱物７が置かれる。こうして、被加熱物７は、調理室２の底面から間隔をあけた状態で調理室２内に収容されている。
【００２８】
また、上記調理室２の左右の側壁には、下受け棚１１よりも上側に位置する中受け棚１２と、中受け棚１２よりも上側に位置する上受け棚１３とが設けられている。中受け棚１２および上受け棚１３にも、下受け棚１１と同様に、トレイ６の支持が可能である。これにより、オペレータは、トレイ６の支持を下受け棚１１から中受け棚１２または上受け棚１３に変更して、調理室２内における被加熱物７の上下方向の位置を変更できる。
【００２９】
上記蒸気発生装置３は、蒸気発生部３９と、蒸気発生部３９に供給する水が入る給水タンク４０と、蒸気発生部３９内に設置され、蒸気発生部３９内に溜まった水を加熱して蒸発させる水加熱ヒータ４１と、電磁弁５２とを備えている。水加熱ヒータ４１はシーズヒータを渦巻状に巻いたものである。
【００３０】
上記電磁弁５２は、給水タンク４０内の空間と蒸気発生部３９内の空間とを連通させる連通孔を開閉するバルブの役割を果たしている。つまり、電磁弁５２の開放により、給水タンク４０内の水を蒸気発生部３９内に流入させることでき、また、電磁弁５２の閉鎖により、給水タンク４０内の水が蒸気発生部３９内に流入できなくなっている。また、蒸気発生部３９には水位センサ（図示せず）が設けられており、この水位センサの検出値に応じて、電磁弁５２が開閉するようになっている。
【００３１】
上記給水タンク４０は、蒸気発生部３９に対して着脱可能となっており、正面側から本体ケーシング１外に取り出せるようになっている。
【００３２】
上記蒸気発生部３９の底部には排水弁４２が取り付けられ、この排水弁４２に排水経路１４の一方の端部が接続されている。排水経路１４の他方の端部はつゆ受け９上に位置している。つゆ受け９は、本体ケーシング１に着脱可能となっており、正面側から本体ケーシング１外に取り出せる。
【００３３】
また、上記調理室２の一方の側面においては、上受け棚１３と中受け棚１２との間に循環吸気口１５が設けられている。そして、調理室２の上面には、蒸気加熱ヒータ４に対向するように第１噴出口１６が設けられている。さらに、調理室２の他方の側面には第２，第３噴出口１７，１８が設けられている。第２噴出口１７は上受け棚１３と中受け棚１２との間に位置している。一方、第３噴出口１８は中受け棚１２と下受け棚１１との間に位置している。このような循環吸気口１５、第１噴出口１６、第２噴出口１７および第３噴出口１８により、調理室２内の空間と循環経路８内の空間とが互いに連通している。
【００３４】
上記循環経路８は調理室２外に設けられている。また、循環経路８は、一端が循環吸気口１５に接続されていると共に、他端が第２噴出口１７および第３噴出口１８に接続されている。そして、循環経路８内には循環ファン１９および蒸気加熱ヒータ４が設置されており、蒸気加熱ヒータ４の位置は循環ファン１９よりも下流側の位置となっている。つまり、循環ファン１９は、循環吸気口１５から調理室２内の蒸気を吸い込み、蒸気加熱ヒータ４に向けて吹き出す。蒸気加熱ヒータ４で加熱された蒸気は、調理室２の上面の第１噴出口１６と、調理室２の他方の側面の第２，第３噴出口１７，１８とから、調理室２内に向かって噴出する。
【００３５】
また、上記循環経路８の循環吸気口１５近傍の部分は、蒸気放出経路２０を介して蒸気発生部３９に接続されている。これにより、蒸気発生部３９で発生した蒸気は、蒸気放出経路２０を流れて循環経路８に入り、循環吸気口１５から吸い込んだ蒸気と合流して蒸気加熱ヒータ４へ向かって流れる。
【００３６】
また、上記調理室２内の余剰な蒸気は、第１，第２排気口２１，２２から調理室２外に流れ出る。第１排気口２１には排気経路２３の一端が接続されている。排気経路２３の他端部はエジェクタ２４を形成している。また、第１排気口２１は排気ダンパ２５で開閉自在となっている。一方、第２排気口２２には排気チューブ２６の一端が接続されている。排気チューブ２６の他端は排気経路２３に接続されているので、排気チューブ２６内の蒸気は、排気経路２３内の蒸気と合流して、エジェクタ２４から本体ケーシング１外に排出される。このとき、エジェクタ２４から本体ケーシング１外へ向かう蒸気は、希釈空気経路２７および吸込ダクト２８からの空気と混ざって希釈される。
【００３７】
上記希釈空気経路２７は、一端がエジェクタ２４内に挿入されていると共に、他端がファンケーシング２９に接続されている。このファンケーシング２９内の排気希釈ファン３０からエジェクタ２４に空気が送られる。また、ファンケーシング２９は給気経路３１を介して給気口３２に接続されている。給気口３２には給気ダンパ３３を設け、給気口３２を給気ダンパ３３で開閉できるようになっている。
【００３８】
図３は上記加熱調理器の制御ブロック図である。
【００３９】
上記制御装置５は、ＣＰＵ（中央処理装置）４３、記憶部４４、タイマー部４５およびカウント部４７および入出回路などを含んでいる。ＣＰＵ４３は、記憶部４４に記憶されている命令を取り出して実行したり、各種入力機器から入力されるデータに対し、二進加算、論理演算、増減、比較などの演算を行う。なお、ＣＰＵ４３は表示指令部の一例である。
【００４０】
また、上記制御装置５には、蒸気加熱ヒータ４、循環ファン１９、排気ダンパ２５、給気ダンパ３３、排気希釈ファン３０、操作部３５、液晶表示部３６、水加熱ヒータ４１および操作検知部４７などが接続されている。
【００４１】
上記記憶部４４には予め複数のプログラムが記憶されており、各プログラムは液晶表示部３６で表示する複数のメニューのそれぞれに関連付けされている。
【００４２】
上記操作検知部４７は扉３４内に設置されていて、ロータリーエンコーダなどを含んでいる。そして、操作検知部４７は、つまみ４８で選択されたメニューを示す信号を制御装置５へ出力したり、決定ボタン４９およびスタートボタン５０のそれぞれのオンを示す信号を制御装置５へ出力したりする。
【００４３】
上記カウント部４６は、つまみ４８でメニューが選択されてから、スタートボタン５０が押されていない状態で経過した時間などをカウントする。
【００４４】
上記ＣＰＵ４３は、カウント部４６がカウントした時間が３秒になると、操作に関する情報を液晶表示部３６に表示させる。つまり、上記メニューが選択された後、３秒間、操作部３５が操作されないと、液晶表示部３６がＣＰＵ４３から指令を受けて、オペレータが次に行うべき操作に関する情報を表示する。
【００４５】
以下、上記操作案内装置５１が行う案内について説明する。
【００４６】
上記操作案内装置５１は、まず、図４に示すように、ステップＳ１で、オペレータが、つまみ４８を回して、液晶表示部３６に表示されている複数のメニューの中から、あたためメニューを選択したか否かを判定する。このステップＳ１は、あたためメニューが選択されていると判定されるまで繰り返される。そして、ステップＳ１で、あたためメニューが選択されていると判定された場合は、ステップＳ２に進む。ここで、上記液晶表示部３６に表示されているメニューは、図５に示すように、「レンジあたため」、「ヘルシオあたため」、「飲み物・解凍」、「自動メニュー」および「手動」の５つあり、「レンジあたため」と「ヘルシオあたため」とが、あたためメニューに相当する。なお、図５は、「レンジあたため」が選択されている状態を示している。以降、ステップＳ１で、「レンジあたため」が選択されたものとして説明を続ける。
【００４７】
次に、ステップＳ２で、スタートボタン５０が押された否かを判定する。このステップＳ２で、スタートボタン５０が押された判定された場合は、操作案内装置５１の案内を行わずに、その案内に関する処理を終了する。一方、ステップＳ２で、スタートボタン５０が押されていないと判定された場合は、次のステップ３に進む。
【００４８】
次に、ステップＳ３で、３秒経過したか否かを判定する。つまり、ステップＳ３で、「レンジあたため」が選択された後、オペレータはスタートボタン５０を押すべきだが、そのスタートボタン５０が押されていない状態が３秒間継続したか否かを判定する。このステップＳ３で、スタートボタン５０が押されていない状態が３秒間継続した判定された場合は、ステップＳ４に進む。一方、ステップＳ３で、スタートボタン５０が押されていない状態が３秒間継続していないと判定された場合は、ステップＳ２に戻る。なお、ステップＳ３が無操作時間判定部の一例である。
【００４９】
最後に、ステップＳ４で、ＣＰＵ４３が、オペレータが次に押すべきスタートボタン５０に関する情報を液晶表示部３６に表示させる。具体的には、液晶表示部３６は、図６〜図１５の画像を順次表示する。つまり、図６〜図１５の画像がこの順で液晶表示部３６に表示される。
【００５０】
このように、上記液晶表示部３６が図６〜図１５の画像を自動的に順次表示するので、オペレータは、「レンジあたため」の選択後に、スタートボタン５０を押すことを知らなくても、スタートボタン５０を押す必要性を認識でき、スタートボタン５０を押すことができる。また、上記オペレータは、「レンジあたため」の選択後に、液晶表示部３６に図６〜図１５の画像を表示させるための操作を行わなくてもよい。
【００５１】
したがって、上記操作案内装置５１は、案内を受けるための操作が判らない人に対しても案内を提供でき、案内を受けるための操作の煩わしさを軽減できる。
【００５２】
また、図６〜図１５の画像はスタートボタン５０の位置が判るように作られているので、オペレータはスタートボタン５０を容易に見つけて押すことができる。
【００５３】
また、図６〜図１５の画像は、スタートボタン５０に関する情報を図で示すものであるから、スタートボタン５０に関する情報をオペレータに容易に理解させることができる。
【００５４】
上記実施の形態では、ステップＳ１で、「レンジあたため」が選択された場合について説明したが、ステップＳ１で、図１６に示すように、「ヘルシオあたため」が選択された後、無操作が３秒間継続したなら、オペレータは次にすべき操作の案内を液晶表示部３６を介して受けることができる。
【００５５】
上記実施の形態では、ステップＳ３で、予め設定された時間の一例として３秒を用いていたが、３秒以外の時間にしてもよい。
【００５６】
上記実施の形態では、操作案内装置５１で操作案内を１回行ったが、操作案内装置５１で操作案内を複数回行ってもよい。この場合、ステップＳ１〜Ｓ４と同様のステップを複数回行えばよい。つまり、メニューを実行させるための実行部が操作されていない状態毎に、予め設定された時間が経過したか否かを判定するステップを設けると共に、そのステップが予め設定された時間が経過したと判定した毎に、ＣＰＵ４３が、上記実行部に関する情報を液晶表示部３６に表示させるようにしてもよい。このようにした場合、オペレータに操作を逐次ヘルプしながら、オペレータを誘導することができる。
【００５７】
上記実施の形態では、ステップＳ４で、オペレータが次に押すべきスタートボタン５０に関する情報を図で示していたが、文字で示してもよいし、文字と図とで示してもよい。
【００５８】
上記実施の形態では、操作案内装置５１を加熱調理器に用いていたが、本発明の操作案内装置５１は、パーソナルコンピュータ、家庭用電話、携帯電話、複写機、ビデオカメラ、デジタルカメラ、電子辞書、カーナビゲーションシステム、ＡＶ（Audio Visual）機器、洗濯機、冷蔵庫、炊飯器、食器洗い機、掃除機、エアコン等に使用することができる。
【図面の簡単な説明】
【００５９】
【図１】図１は加熱調理器の外観斜視図である。
【図２】図２は上記加熱調理器の概略構成図である。
【図３】図３は上記加熱調理器の制御ブロック図である。
【図４】図４は本発明の一実施の形態の操作案内装置が行う案内のフローチャートである。
【図５】図５は上記加熱調理器の液晶表示部の一表示例を示す図である。
【図６】図６は上記加熱調理器の液晶表示部の一表示例を示す図である。
【図７】図７は上記加熱調理器の液晶表示部の一表示例を示す図である。
【図８】図８は上記加熱調理器の液晶表示部の一表示例を示す図である。
【図９】図９は上記加熱調理器の液晶表示部の一表示例を示す図である。
【図１０】図１０は上記加熱調理器の液晶表示部の一表示例を示す図である。
【図１１】図１１は上記加熱調理器の液晶表示部の一表示例を示す図である。
【図１２】図１２は上記加熱調理器の液晶表示部の一表示例を示す図である。
【図１３】図１３は上記加熱調理器の液晶表示部の一表示例を示す図である。
【図１４】図１４は上記加熱調理器の液晶表示部の一表示例を示す図である。
【図１５】図１５は上記加熱調理器の液晶表示部の一表示例を示す図である。
【図１６】図１６は上記加熱調理器の液晶表示部の一表示例を示す図である。
【符号の説明】
【００６０】
３５  操作部
３６  液晶表示部
４３  ＣＰＵ
４４  記憶部
４８  つまみ
４９  決定ボタン
５０  スタートボタン
５１  操作案内装置
【図１】
2010039630.tif 000003
【図２】
2010039630.tif 000004
【図３】
2010039630.tif 000005
【図４】
2010039630.tif 000006
【図５】
2010039630.tif 000007
【図６】
2010039630.tif 000008
【図７】
2010039630.tif 000009
【図８】
2010039630.tif 000010
【図９】
2010039630.tif 000011
【図１０】
2010039630.tif 000012
【図１１】
2010039630.tif 000013
【図１２】
2010039630.tif 000014
【図１３】
2010039630.tif 000015
【図１４】
2010039630.tif 000016
【図１５】
2010039630.tif 000017
【図１６】
2010039630.tif 000018